(57)【要約】      （修正有）【課題】空間内部を変化させて、鑑賞者の精神状態の変化を促し、鑑賞者の五感に訴えるような真の臨場感を生じさせ、鑑賞者の精神状態の変化を促すことができる建築物を提供する。【解決手段】天井１１、床１２及び壁１３により外部と仕切り、画像表現物を映出する映出面２０を備えるスクリーン幕を配設した、画像表現物の鑑賞者９が出入可能な空間（部屋１０）を備える。画像表現物を、鑑賞者９の精神状態を癒され状態、集中状態及び興奮状態などに変化させるものとし、建築物の空間（部屋１０）に、映出面２０の位置を鑑賞者９側か又は鑑賞者９側とは反対側かのいずれかに移動させる幕移動手段を設け、幕移動手段が映出面２０の位置を移動させるようにしてある。【選択図】図２
0003185693.tif 000002
【実用新案登録請求の範囲】
【請求項１】
天井、床及び壁により外部と仕切られ、画像表現物を映出する映出面を備えるスクリーン幕が配設された、前記画像表現物の鑑賞者が出入可能な空間を備える建築物において、
前記画像表現物は、前記鑑賞者の精神状態を癒され状態、集中状態及び興奮状態などに変化させるものであり、
前記空間は、少なくとも前記映出面の位置を前記鑑賞者側か又は該鑑賞者側とは反対側かのいずれかに移動させる幕移動手段を備え、
該幕移動手段が前記映出面の位置を移動させることにより、前記空間内部を変化させ、前記鑑賞者の精神状態の変化を促すようにしてあることを特徴とする建築物。
【請求項２】
前記幕移動手段は、前記映出面の一部の位置を前記鑑賞者側か又は該鑑賞者とは反対側かのいずれかに移動させることにより、前記映出面を湾曲又は屈曲させる手段を備えることを特徴とする請求項１に記載の建築物。
【請求項３】
複数の前記画像表現物を前記映出面に順次映出する映出制御手段を備え、
前記幕移動手段は、前記映出制御手段により映出される各画像表現物の内容に応じて、前記映出面の位置を移動させるようにしてあることを特徴とする請求項１又は２に記載の建築物。
【請求項４】
前記鑑賞者の精神状態の変化を促すための音を、前記映出制御手段により映出される各画像表現物の内容に応じて、前記空間内部に出力する音出力手段を更に備えることを特徴とする請求項３に記載の建築物。
【請求項５】
前記鑑賞者の精神状態の変化を促すための芳香を、前記映出制御手段により映出される各画像表現物の内容に応じて、前記空間内部に放出する芳香放出手段を更に備えることを特徴とする請求項３又は４に記載の建築物。
【請求項６】
前記映出制御手段により映出される各画像表現物の内容に応じて、前記空間内部に振動を与える振動発生手段を更に備えることを特徴とする請求項３乃至５のいずれかに記載の建築物。
【考案の詳細な説明】
【技術分野】
【０００１】
本考案は、人の精神状態を、例えば、癒され状態、集中状態及び興奮状態などに変化させるための空間を備える建築物に関する。
【０００２】
従来、人の精神状態を、例えば、癒され状態、集中状態及び興奮状態などに変化させるための手段として、寺院などの文化的な建造物、遺跡及び美術品などを鑑賞することが行われている。
【０００３】
例えば、奈良市忍辱山町にある真言宗御室派の仏教寺院である「円成寺」の本堂には、本尊である阿弥陀如来坐像があり、像の前に配された四本柱に「二十五菩薩の聖衆来迎図」が描かれている。聖衆来迎図は、極彩色で描かれており、光の加減によって鮮明に浮かび上がるように錯覚を与え、鑑賞者の精神状態を変化させる。
【０００４】
また、その他の手段としては、映画館での映写機による上映、博物館でのプラネタリウムによる上映及び舞台での演劇などが挙げられる。
【０００５】
これらの手段にあっては、画像表現物の迫力や表現力を高め、鑑賞者の精神状態の変化を効果的に促すことができるよう、両目の視差を利用して擬似的に画像を立体的に見せる眼鏡を用いて画像表現物を擬似的に三次元映出する方法や、設置位置の異なる複数のスクリーン幕に画像表現物を映出して実際に三次元映出する方法などが提案されている（例えば、特許文献１）。
【先行技術文献】
【特許文献】
【０００６】
【特許文献１】特開２００２−３００６１３号公報
【考案の概要】
【考案が解決しようとする課題】
【０００７】
しかしながら、特許文献１記載のとおり、眼鏡を用いて画像表現物を擬似的に三次元映出する方法にあっては、眼鏡が観客に疲労感を与えるという問題を有する。
【０００８】
また、特許文献１記載の、複数のスクリーン幕を用いて画像表現物を実際に三次元映出する方法にあっては、観客に疲労感を与えることなく、迫力や表現力の高い映像を映出させることができるとされているものの、観客の視聴覚のみに訴えるに過ぎず、真の臨場感を獲得させるものではない。
【０００９】
即ち、特許文献１記載の映出方法は、「心を吸い寄せる」又は「心に迫って来る」など、観客の五感の全てに訴えるような、真の臨場感を獲得することができないという問題を有する。
【００１０】
本考案は、かかる事情を鑑みてなされたものであり、天井、床及び壁により外部と仕切り、画像表現物を映出する映出面を備えるスクリーン幕を配設した、画像表現物の鑑賞者が出入可能な空間を備える建築物において、画像表現物を、鑑賞者の精神状態を癒され状態、集中状態及び興奮状態などに変化させるものとし、建築物の空間に、映出面の位置を鑑賞者側か又は鑑賞者側とは反対側かのいずれかに移動させる幕移動手段を設け、幕移動手段が映出面の位置を移動させることにより、空間内部を変化させて、鑑賞者の精神状態の変化を促し、鑑賞者の五感に訴えるような真の臨場感を生じさせ、鑑賞者の精神状態の変化を促すことができる建築物を提供することを目的とする。
【課題を解決するための手段】
【００１１】
本願請求項１に係る考案は、天井、床及び壁により外部と仕切られ、画像表現物を映出する映出面を備えるスクリーン幕が配設された、前記画像表現物の鑑賞者が出入可能な空間を備える建築物において、前記画像表現物は、前記鑑賞者の精神状態を癒され状態、集中状態及び興奮状態などに変化させるものであり、前記空間は、少なくとも前記映出面の位置を前記鑑賞者側か又は該鑑賞者側とは反対側かのいずれかに移動させる幕移動手段を備え、該幕移動手段が前記映出面の位置を移動させることにより、前記空間内部を変化させ、前記鑑賞者の精神状態の変化を促すようにしてあることを特徴とする。
【００１２】
本考案にあっては、空間内部に設けられたスクリーン幕の映出面に、人の精神状態を変化させる画像表現物を映出させることにより、空間内部に存在する鑑賞者の精神状態を癒され状態、集中状態及び興奮状態などに変化させる。また、本考案にあっては、空間内部に設けられたスクリーン幕の映出面の位置を、少なくとも、鑑賞者側か又はこの鑑賞者側とは反対側かのいずれかに移動させることにより、映出面に映出される画像表現物に擬似的に三次元映出するような動きを与え、鑑賞者の五感に訴えるような真の臨場感を生じさせ、空間内部に存在する鑑賞者の精神状態の変化を促す。
【００１３】
また、本願請求項２に係る考案は、前記幕移動手段は、前記映出面の一部の位置を前記鑑賞者側か又は該鑑賞者とは反対側かのいずれかに移動させることにより、前記映出面を湾曲又は屈曲させる手段を備えることを特徴とする。
【００１４】
本考案にあっては、空間内部に設けられたスクリーン幕の映出面の一部の位置を、鑑賞者側か又はこの鑑賞者側とは反対側かのいずれかに移動させることにより、映出面を曲げにより湾曲又は屈曲させ、映出面に映出される画像表現物に擬似的に三次元映出するような動きを与え、鑑賞者の五感に訴えるような真の臨場感を生じさせ、空間内部に存在する鑑賞者の精神状態の変化を効果的に促す。
【００１５】
また、本願請求項３に係る考案は、複数の前記画像表現物を前記映出面に順次映出する映出制御手段を備え、前記幕移動手段は、前記映出制御手段により映出される各画像表現物の内容に応じて、前記映出面の位置を移動させるようにしてあることを特徴とする。
【００１６】
本考案にあっては、空間内部に設けられたスクリーン幕の映出面の位置を、映出面に映出される画像表現物の内容に応じて、移動させることにより、画像表現物の内容と映出面の位置の移動とに基づいて、映出面に映出される画像表現物に擬似的に三次元映出するような動きを与え、鑑賞者の五感に訴えるような真の臨場感を生じさせ、空間内部に存在する鑑賞者の精神状態の変化を効果的に促す。
【００１７】
また、本願請求項４に係る考案は、前記鑑賞者の精神状態の変化を促すための音を、前記映出制御手段により映出される各画像表現物の内容に応じて、前記空間内部に出力する音出力手段を更に備えることを特徴とする。
【００１８】
本考案にあっては、鑑賞者の精神状態を変化させる音を、映出面に映出させる画像表現物の内容に応じて、空間内部に出力させることにより、画像表現物の内容と音と映出面の位置の移動とに基づいて、聴覚を含む鑑賞者の五感に訴えるような真の臨場感を生じさせ、空間内部に存在する鑑賞者の精神状態の変化を効果的に促す。
【００１９】
また、本願請求項５に係る考案は、前記鑑賞者の精神状態の変化を促すための芳香を、前記映出制御手段により映出される各画像表現物の内容に応じて、前記空間内部に放出する芳香放出手段を更に備えることを特徴とする。
【００２０】
本考案にあっては、鑑賞者の精神状態を変化させる芳香を、映出面に映出させる画像表現物の内容に応じて、空間内部に放出させることにより、画像表現物の内容と芳香と映出面の位置の移動とに基づいて、嗅覚を含む鑑賞者の五感に訴えるような真の臨場感を生じさせ、空間内部に存在する鑑賞者の精神状態の変化を効果的に促す。
【００２１】
更にまた、本願請求項６に係る考案は、前記映出制御手段により映出される各画像表現物の内容に応じて、前記空間内部に振動を与える振動発生手段を更に備えることを特徴とする。
【００２２】
本考案にあっては、映出面に映出させる画像表現物の内容に応じて、空間内部に振動を与えることにより、画像表現物の内容と振動と映出面の位置の移動とに基づいて、触感を含む鑑賞者の五感に訴えるような真の臨場感を生じさせ、空間内部に存在する鑑賞者の精神状態の変化を効果的に促す。
【考案の効果】
【００２３】
本考案は、映出面の位置の移動に応じて空間内部を変化させ、鑑賞者の五感の全てに訴えるような真の臨場感を獲得することができ、鑑賞者の精神状態の変化を効果的に促すことができる。
【図面の簡単な説明】
【００２４】
【図１】本考案に係る建築物が備える、画像表現物の鑑賞者が出入可能な空間を説明するための模式的平面図である。
【図２】図１に係る建築物が備える、画像表現物の鑑賞者が出入可能な空間を説明するための模試的側面図である。
【図３】空間内部に設けられたスクリーン幕の映出面に映出させる画像表現物を制御する映出制御手段を備えるシステムを説明するための模式図である。
【図４】空間内部に設けられたスクリーン幕の映出面及び映出面の位置の移動を説明するための模式的平面図である。
【図５】図４に示す例とは異なる、空間内部に設けられたスクリーン幕の映出面及び映出面の位置の移動を説明するための模式的平面図である。
【考案を実施するための形態】
【００２５】
（建築物１の構成について）
本考案に係る建築物について、本実施の形態を示す図面に基づいて以下説明する。図中１０は、建築物１（図示せず、以下同じ）の内部で隔てられた一空間である。建築物１は、土地に定着する工作物であって、屋根、柱及び壁を有するものをいう。
【００２６】
また、部屋１０は、天井１１、床１２及び壁１３により外部から遮蔽され、生活の場、車庫、物置部屋、風呂及び便所などに用いられる。また、部屋１０は、鑑賞者９が出入り可能な空間であり、鑑賞者９が出入りするための扉１４と、自然光や外気を室内に取り込むための窓１５とを備える。
【００２７】
また、部屋１０は、画像表現物を映出するためのスクリーン幕２が配設されている。スクリーン幕２は、映写機やプロジェクターなどの画像出力装置３から投射される画像表現物を映出する映出面２０を備える器具であり、鑑賞者９側から投射された画像表現物を映出するフロントタイプと、鑑賞者９側とは反対側（背面側）から投射された画像表現物を映出するリアタイプとが存在する。なお、本実施の形態にあっては、フロントタイプのスクリーン幕２を用いた一例を説明する。
【００２８】
また、スクリーン幕２は、フロントタイプの場合、映出面２０がパール系樹脂により塗布され、細かなエンボス加工が施されており、リアタイプの場合、ビニール、アクリル及びガラスなどにより半透明となるように形成され、背面に画像表現物が投射されて鑑賞者９側に映出するようにされている。
【００２９】
また、スクリーン幕２は、部屋１０を構成する天井１１、床１２及び壁１３のいずれかの面に対向するように配設されている。なお、本実施の形態にあっては、スクリーン幕２が壁１３の面に対向するように配設される一例を挙げて説明する。
【００３０】
本実施の形態において、スクリーン幕２は、上端縁２１に所定の間隔をあけて形成された複数の取付金具２２、２２、…を備える。また、スクリーン幕２は、複数の取付金具２２、２２、…が、天井１１から垂下する複数の被取付金具１１０、１１０、…に係止され、天井１１から吊垂するように配設されている。
【００３１】
複数の被取付金具１１０、１１０、…は、それぞれ、天井１１の面に敷設された複数の軌条部材１１１、１１１、…に嵌着されている。各被取付金具１１０は、各軌条部材１１１の長手方向に沿って摺動自在に嵌着されている。
【００３２】
各軌条部材１１１は、それぞれ、嵌着された被取付金具１１０が壁１３と鑑賞者９との間を摺動し得るように天井１１の面に敷設される。
【００３３】
即ち、各被取付金具１１０は、少なくとも、スクリーン幕２が備える映出面２０の位置を、鑑賞者９側か又は鑑賞者９側とは反対側（壁１３側）かのいずれかに移動させるように、軌条部材１１１に沿って摺動する。
【００３４】
また、各被取付金具１１０は、スクリーン幕２が備える映出面２０の一部の位置を、鑑賞者９側か又は鑑賞者９側の反対側（壁１３側）かのいずれかに移動させて、映出面２０を曲げることなく移動させるか、又は、映出面２０を曲げにより湾曲又は屈曲させるように、各軌条部材１１１に沿って独立して摺動する。
【００３５】
また、各被取付金具１１０は、軌条部材１１１が備える動力装置１１２、駆動装置１１３及び制御装置１１４により、軌条部材１１１上を、その長手方向に沿って、自動的に移動（摺動）する。
【００３６】
取付金具２２、被取付金具１１０、軌条部材１１１、動力装置１１２、駆動装置１１３及び制御装置１１４は、本考案の「幕移動手段８０」に該当する。
【００３７】
建築物１は、図３に示すように、幕移動手段８０の他、鑑賞者９の精神状態を変化させる画像表現物を映出面２０に映出させる映出制御装置８１と、鑑賞者９の精神状態の変化を促すための音を出力する音出力装置８２と、鑑賞者９の精神状態の変化を促すための芳香を放出する芳香放出装置８３と、部屋１０の内部に振動を与える振動発生装置８４とを備える幕移動システムを備える。
【００３８】
映出制御装置８１は、画像出力装置３を制御することにより、複数の画像表現物を映出面２０に順次映出させる装置である。映出制御装置８１は、操作部（図示せず）を備え、操作部を介して操作者により入力された設定に従い、複数の画像表現物を順次映出する。
【００３９】
複数の画像表現物は、例えば、鑑賞者９の心が癒されるような室内風景及び屋外の自然風景など、鑑賞者９の精神状態を変化させるものであり、画像出力装置３を介してスクリーン幕２に出力される。また、複数の画像表現物は、予め撮影された異なる複数の静止画のみならず、複数の静止画が連続する動画であってもよい。
【００４０】
幕移動手段８０において、制御装置１１４は、映出制御装置８１の制御に連動しており、映出される複数の画像表現物の内容に応じて、動力装置１１２及び駆動装置１１３を制御する。動力装置１１２及び駆動装置１１３は、制御装置１１４により制御され、軌条部材１１１上を移動する被取付金具１１０を摺動させる。各取付金具２２は、各被取付金具１１０を介して、映出面２０の一部の位置を移動させる。スクリーン幕２は、各取付金具２２の移動により、映出面２０が曲げることなく移動するか、又は、映出面２０が曲がり湾曲又は屈曲する。
【００４１】
音出力装置８２は、映出制御装置８１の制御に連動しており、映出される複数の画像表現物の内容に応じて、部屋１０の内部に音を出力する。出力される音は、例えば、鑑賞者９の心が癒されるような音楽及び屋外の自然が発する音など、鑑賞者９の精神状態を変化させるものである。
【００４２】
芳香放出装置８３は、映出制御装置８１の制御に連動しており、映出される複数の画像表現物の内容に応じて、部屋１０の内部に芳香を放出する。放出される芳香は、例えば、癒され状態を促すカモミールの香りや、興奮状態を促すペパーミントの香りなど、鑑賞者９の精神状態を変化させるものである。
【００４３】
振動発生装置８４は、映出制御装置８１の制御に連動しており、映出される複数の画像表現物の内容に応じて、部屋１０の内部に振動を与える。
【００４４】
本考案に係る建築物１は、上述するように複数の構成要件を備えており、例えば、以下のようにこれらの構成要件が作用することにより、所定の効果を奏する。
【００４５】
（スクリーン幕２の移動について）
建築物１は、図４及び５に示すように、映出制御装置８１が画像出力装置３を制御し、制御された画像出力装置３が、例えば「波の押し引き」に関する画像表現物をスクリーン幕２の映出面２０に投射する。
【００４６】
幕移動手段８０は、「波が押し寄せる」画像が映出面２０に投射されるに応じて、制御装置１１４が映出面２０の中央箇所の取付金具２２に係止する被取付金具１１０を鑑賞者９側に移動させる。被取付金具１１０は、鑑賞者９側に移動することにより、自らが係止する取付金具２２を同様に鑑賞者９側に移動させる。取付金具２２は、自らが形成される映出面２０の中央箇所のみを鑑賞者９側に移動させることにより、映出面２０を曲げて湾曲させる（図４参照）。
【００４７】
また、音出力装置８２は、「波が押し寄せる」画像が映出面２０に投射されるに応じて、「波が押し寄せる」音を部屋１０の内部に出力する。
【００４８】
また、芳香放出装置８３は、「波が押し寄せる」画像が映出面２０に投射されるに応じて、潮の香りを部屋１０の内部に大量に放出する。
【００４９】
また、振動発生装置８４は、「波が押し寄せる」画像が映出面２０に投射されるに応じて、波が押し寄せる様を示す振動を部屋１０の内部に与える。
【００５０】
その結果、鑑賞者９は、部屋１０の内部の変化を五感の全てで感じ取り、「心に迫ってくる」という感覚を感得し、その精神状態が癒され状態へと変化する。また、他の鑑賞者９にあっては、圧迫感が促され、その精神状態が興奮状態へと変化し、最終的に、精神的な忍耐力を感得することとなる。
【００５１】
また、幕移動手段８０は、「波が引く」画像が映出面２０に投射されるに応じて、制御装置１１４が作動し、被取付金具１１０及び取付金具２２を介して、映出面２０の中央箇所を鑑賞者９側とは反対側に移動させ、映出面２０を曲げて湾曲させる（図５参照）。
【００５２】
併せて、音出力装置８２は、「波が引く」音を部屋１０の内部に出力する。また、芳香放出装置８３は、潮の香りを部屋１０に少量放出する。また、振動発生装置８４は、波が引く様を示す振動を部屋１０の内部に与える。
【００５３】
その結果、鑑賞者９は、部屋１０の内部の変化を五感の全てで感じ取り、「心が吸い取られる」という感覚を感得し、その精神状態が癒され状態へと変化する。また、他の鑑賞者９にあっては、心の遊離が回避され、その精神状態が集中状態へと変化する。
【００５４】
なお、上述する実施の形態においては、「波の押し引き」に関する画像表現物を映出する一例を示して説明する。しかしながら、本考案は、これに限定されるものではなく、例えば、「太陽」、「森林」、「野鳥」、「水滴」、「著名な絵画」及び「和室の風景」に関する画像表現物など、鑑賞者９の精神状態を変化させるものであればよい。
【００５５】
また、上述する実施の形態においては、映出面２０の中央箇所を移動させ，映出面２０を曲げて湾曲させる一例を示して説明する。しかしながら、本考案は、これに限定されるものではなく、中央箇所以外の箇所を移動させて映出面２０を曲げるようにしてもよい。また、映出面２０全体を移動させるようにしてもよい。
【符号の説明】
【００５６】
１  建築物
１０  部屋
１１  天井
１１０  被取付金具
１１１  軌条部材
１１２  動力装置
１１３  駆動装置
１１４  制御装置
１２  床
１３  壁
１４  扉
１５  窓
２  スクリーン幕
２０  映出面
２１  上端縁
２２  取付金具
８０  幕移動手段
８１  映出制御装置
８２  音出力装置
８３  芳香放出装置
８４  振動発生装置
９  鑑賞者
【図１】
0003185693.tif 000003
【図２】
0003185693.tif 000004
【図３】
0003185693.tif 000005
【図４】
0003185693.tif 000006
【図５】
0003185693.tif 000007